(57)【要約】【課題】シート状物を枠組足場等のパイプ構造物に対して簡単に、強固に、しかも、皺なく綺麗に張設することができるようにしたシート状物の取付装置を提供することである。【解決手段】シート状物としての広告シート７０の両側辺縁部に沿ってガイド突条３１を設け、そのガイド突条３１をパイプホルダ４０に設けられたガイド溝４４に挿通して広告シート７０の両側辺縁部にパイプホルダ４０を取り付ける。そのパイプホルダ４０を切り離し部４２からの押し拡げにより径方向外方に弾性変形させてバリケード６０の上部桟６１ｂおよびその上部桟６１ｂに平行する横桟６３に嵌合し、復元弾性により縮径するパイプホルダ４０により上部桟６１ｂおよび横桟６３の外径面を締め付けてパイプホルダ４０の取り付けとして、バリケード６０に広告シート７０を取り付ける。【選択図】図１８
2015197026.tif 000002
【特許請求の範囲】
【請求項１】
四辺形枠部を有するパイプ構造物と、そのパイプ構造物の四辺形枠部内に張設される矩形状のシート状物と、そのシート状物の少なくとも１組の対向辺縁部のそれぞれを前記四辺形枠部の少なくとも１組の対向一対のパイプのそれぞれに取り付けるパイプホルダとからなり、
前記シート状物の１組の対向辺縁部に沿ってガイド突条が設けられ、
前記パイプホルダが周方向の一部に切り離し部を有する筒状部の外周に長さ方向に延びる対向一対の突条が設けられ、その一対の突条のそれぞれに前記ガイド突条が挿通されるガイド溝が形成され、そのガイド溝の開口部にガイド突条を抜止めする状態でスライド案内する内向きフランジが設けられた径方向に弾性変形可能な合成樹脂の成形品とされ、
そのパイプホルダのガイド溝のそれぞれにガイド突条を挿通してシート状物の対向辺縁部のそれぞれにパイプホルダを装着し、そのパイプホルダの切り離し部からの押し拡げにより筒状部を径方向外方に弾性変形させて、前記四辺形枠部の１組の対向一対のパイプの外周一部からそれぞれのパイプに筒状部を嵌合し、その筒状部の復元弾性による縮径によりパイプ外径面を締め付けてそれぞれのパイプに対するパイプホルダの取り付けによりシート状物の取り付けとするシート状物の取付装置。
【請求項２】
前記パイプホルダが、取付け対象となるパイプの長さより少し短くされた一本ものとされ、前記ガイド突条がシート状物の対向辺縁部の長さ方向全長にわたって設けられた請求項１に記載のシート状物の取付装置。
【請求項３】
前記パイプホルダが、取付け対象となるパイプを長さ方向に複数に分割して複数本を一組として使用する短管状ものからなり、前記ガイド突条が、前記短管状パイプホルダの長さに対応する長さとされて対向辺縁部の長さ方向に間隔をおいて設けられた請求項１に記載のシート状物の取付装置。
【請求項４】
前記パイプ構造物が、複数の建枠を並列に建て込み、横方向で隣接する建枠間に交差筋かいを取り付け、かつ、隣接する建枠の上部の横架材間に足場板を架設して足場枠を設け、その足場枠を上下方向に複数組段組みし、最上段における足場枠の隣接する建枠の上部間に渡された連結パイプ、最下段における足場枠の隣接する建枠の下部間に渡された連結パイプおよび各段の建枠の外側脚柱で形成される角形枠が四辺形枠部とされた枠組足場からなり、前記シート状物が前記枠組足場の外側構面を覆うメッシュシートとされた請求項１乃至３のいずれか１項に記載のシート状物の取付装置。
【請求項５】
前記パイプ構造物が、パイプからなる門型枠の両側支柱の下端に接地板を設け、前記両側支柱の下端部間にパイプからなる横桟を渡し、その横桟と門型枠の一対の支柱および一対の支柱の上部間に渡る上部桟とで形成される角形枠が四辺形枠部とされたバリケードからなり、前記シート状物が文字や図柄が印刷された注意書きシートまたは広告用シートとされた請求項１乃至３のいずれか１項に記載のシート状物の取付装置。
【発明の詳細な説明】
【技術分野】
【０００１】
この発明は、枠組足場の外側構面に張設されるメッシュシートやパイプからなるバリケードの平行パイプ間に張設される文字、図柄入り広告用シート等のシート状物の取付装置に関する。
【背景技術】
【０００２】
建築工事現場に構築される仮設パイプ構造物としての枠組足場においては、複数の建枠を並列に建て込み、横方向で隣接する建枠間に交差筋かいを取り付け、かつ、隣接する建枠の上部の横架材間に足場板を架設して足場枠を設け、その足場枠を上下方向に複数組段組みし、必要に応じて、最上段の足場枠の外側構面上に手摺枠を設けるようにしている。
【０００３】
上記の枠組足場においては、外側構面から地上に作業者が墜落するのを防止し、あるいは、ボルト等の部品の落下により通行人が怪我をするのを防止するため、枠組足場の外側構面にメッシュシートを張設して安全性を確保することが行われている。
【０００４】
ここで、メッシュシートとは、難燃性の繊維または防炎加工を施した繊維を網状に編織したもの、もしくは、合成繊維を網状に編織したものに防炎加工を施したものをいう。
【０００５】
近年では、建築現場の美観の向上を図るため、安全性を確保する上記メッシュシートに建築後の建造物や風景を印刷して装飾性を高め、あるいは、文字、図柄を印刷して宣伝広告用のシート媒体として使用される場合が多くなってきている。
【０００６】
一方、道路工事においては、工事現場にバリケードを設置して通行人の安全性を確保し、あるいは、スポーツ広場やマラソン走行路としての沿道、さらには、陸上競技場ならびにサッカー球技場にパイプからなるバリケードを設置して観衆が競技者の競技の妨げになるのを防止することが行われ、それらのバリケードに文字や図柄の印刷が施されたシート状物を取り付けて注意を喚起し、あるいは、宣伝広告用のポスタとして使用することが行われている。
【０００７】
上記のような枠組足場やバリケードのパイプ構造物に対するメッシュシート等のシート状物の取り付けに際し、従来では、例えば、特許文献１に記載されているように、シート状物の周縁部に多数の鳩目を一定の間隔をおいて取り付け、それぞれの鳩目に挿通される紐をパイプ構造物のパイプに結び付けてシート状物の取り付けとしている。
【先行技術文献】
【特許文献】
【０００８】
【特許文献１】実公昭４３−８２９４号公報
【発明の概要】
【発明が解決しようとする課題】
【０００９】
上記従来のように、鳩目に挿通される紐の結びによってシート状物の取り付けとする場合、シート状物がメッシュシートでは、３５ｍｍ以下の間隔をおいて鳩目を設けることが義務付けられているため、１枚当たりのメッシュシートに対する鳩目数が極めて多く、それぞれの鳩目に紐を挿通してパイプに結び付ける必要があるため、シート状物の張設に非常に手間が係るという不都合がある。
【００１０】
また、鳩目の位置でシート状物に大きな引張り力が付与されるが、隣接する鳩目間での引張り力が弱く、シート状物を幅方向および長さ方向の全体にわたって均一な張力を付与することができない。このため、シート状物に皺が生じて体裁の良い取り付けとすることができないという不都合もある。
【００１１】
この発明の課題は、メッシュシート等のシート状物を枠組足場等のパイプ構造物に対して簡単に、強固に、しかも、皺なく綺麗に張設することができるようにしたシート状物の取付装置を提供することである。
【課題を解決するための手段】
【００１２】
上記の課題を解決するため、この発明においては、四辺形枠部を有するパイプ構造物と、そのパイプ構造物の四辺形枠部内に張設される矩形状のシート状物と、そのシート状物の少なくとも１組の対向辺縁部のそれぞれを前記四辺形枠部の少なくとも１組の対向一対のパイプのそれぞれに取り付けるパイプホルダとからなり、前記シート状物の１組の対向辺縁部に沿ってガイド突条が設けられ、前記パイプホルダが周方向の一部に切り離し部を有する筒状部の外周に長さ方向に延びる対向一対の突条が設けられ、その一対の突条のそれぞれに前記ガイド突条が挿通されるガイド溝が形成され、そのガイド溝の開口部にガイド突条を抜止めする状態でスライド案内する内向きフランジが設けられた径方向に弾性変形可能な合成樹脂の成形品とされ、そのパイプホルダのガイド溝のそれぞれにガイド突条を挿通してシート状物の対向辺縁部のそれぞれにパイプホルダを装着し、そのパイプホルダの切り離し部からの押し拡げにより筒状部を径方向外方に弾性変形させて、前記四辺形枠部の１組の対向一対のパイプの外周一部からそれぞれのパイプに筒状部を嵌合し、その筒状部の復元弾性による縮径によりパイプ外径面を締め付けてそれぞれのパイプに対するパイプホルダの取り付けによりシート状物の取り付けとする構成を採用したのである。
【００１３】
この発明に係るシート状物の取付装置においては、上記のように、シート状物の対向辺縁部に設けられたガイド突条をパイプホルダに設けられた一対のガイド溝の一方に挿入して、シート状物の対向辺縁部にパイプホルダを取り付け、そのパイプホルダをパイプ構造物における四辺形枠部の対向一対のパイプのそれぞれに嵌合することにより、四辺形枠部内にシート状物を張設することができ、シート状物を簡単に短時間に張設することができる。
【００１４】
ここで、パイプホルダは、取付け対象となるパイプの長さより少し短くされた一本ものであってもよく、あるいは、取付け対象となるパイプを長さ方向に複数に分割して複数本を一組として使用する短管状のものであってもよい。
【００１５】
一本ものからなるパイプホルダの採用においては、シート状物の対向辺縁部の長さ方向全長にわたってガイド突条を設けるようにする。この場合、四辺形枠部の対向一対のパイプに対するパイプホルダの取り付けによりシート状物を幅方向の全長にわたって均一な緊張力を付与することができ、皺の発生のない極めて体裁のよい強固な取り付けとすることができる。
【００１６】
一方、複数の短管状のパイプホルダの採用においては、ガイド突条をパイプホルダの長さに対応する長さとし、そのガイド突条をシート状物の対向辺縁部の長さ方向に間隔をおいて設けるようにする。
【００１７】
この場合、隣接するガイド突条の対向端部間に短管状パイプホルダの一端を臨ませ、その短管状パイプホルダの一方のガイド溝の一端開口から内部にガイド突条の一端部を挿入して、パイプホルダをシート状物の対向辺縁部に沿って移動させることにより、ガイド溝内にガイド突条が順次挿入することになり、それぞれのガイド突条に短管状パイプホルダを取り付けることができる。
【００１８】
ここで、パイプホルダが１本ものの場合、ガイド溝の一端開口内にガイド突条の一端部を挿入してパイプホルダをシート状物の対向辺縁部に沿って移動させる必要があり、その対向辺縁部の長さが長くなると、パイプホルダを対向辺縁部の長さに相当する距離だけパイプホルダとシート状物とを相対移動させる必要があり、取り付けに手間がかかる。しかし、上記のような短管状パイプホルダの採用においては、シート状物の辺縁部の途中からガイド突条に装着することができると共に、装着時の移動距離も短く、パイプホルダを簡単に取り付けることができる。
【００１９】
この発明に係るシート状物の取付装置において、パイプ構造物は、複数の建枠を並列に建て込み、横方向で隣接する建枠間に交差筋かいを取り付け、かつ、隣接する建枠の上部の横架材間に足場板を架設して足場枠を設け、その足場枠を上下方向に複数組段組みし、最上段における足場枠の隣接する建枠の上部間に渡された連結パイプ、最下段における足場枠の隣接する建枠の下部間に渡された連結パイプおよび各段の建枠の外側脚柱で形成される角形枠が四辺形枠部とされた枠組足場からなるものであってもよい。
【００２０】
この場合、シート状物は枠組足場の外側構面を覆うメッシュシートとする。このメッシュシートにおいては外周の四辺縁部のそれぞれにガイド突条を設け、それぞれのガイド突条にパイプホルダを取り付けて、四辺形枠部を形成するパイプのそれぞれにパイプホルダを嵌合してメッシュシートの取り付けとする。
【００２１】
また、パイプ構造物は、パイプからなる門型枠の両側支柱の下端に接地板を設け、前記両側支柱の下端部間にパイプからなる横桟を渡し、その横桟と門型枠の一対の支柱および一対の支柱の上部間に渡る上部桟とで形成される角形枠が四辺形枠部とされたバリケードからなるのものであってもよい。
【００２２】
この場合、シート状物は、文字や図柄が印刷された注意書きシートあるいは広告用シートとし、そのシートの少なくとも１組の対向辺縁部にガイド突条を設け、そのガイド突条にパイプホルダを取り付け、そのパイプホルダを四辺形枠部を形成するパイプの対向一対のパイプのそれぞれに嵌合してシートの取り付けとする。
【発明の効果】
【００２３】
この発明においては、上記のように、シート状物の対向辺縁部に設けられたガイド突条をパイプホルダの外周に形成された突条のガイド溝に挿入して、シート状物の対向辺縁部にパイプホルダを取り付け、そのパイプホルダをパイプ構造物における四辺形枠部の対向一対のパイプのそれぞれに嵌合することにより、四辺形枠部内にシート状物を張設することができ、シート状物を簡単に短時間に張設することができる。
【００２４】
また、シート状物の対向辺縁部はほぼ全長にわたって四辺形枠部の対向一対のパイプのそれぞれに取り付けられるため、強固な取り付けとすることができると共に、皺の発生がない綺麗な取り付けとすることができる。
【図面の簡単な説明】
【００２５】
【図１】この発明に係るシート状物取付装置の実施の形態を示す正面図
【図２】図１の一部分を拡大して示す正面図
【図３】図２のIII−III線に沿った断面図
【図４】図３のIV−IV線に沿った断面図
【図５】足場板を除いた状態の枠組足場を示す斜視図
【図６】枠組足場を形成する足場枠の一部分を示す斜視図
【図７】脚柱と交差筋かいの連結部を示す一部切欠正面図
【図８】脚柱と連結パイプの連結部を示す横断面図
【図９】図８の一部切欠正面図
【図１０】一部を省略したメッシュシートの正面図
【図１１】図１０のXI−XI線に沿った断面図
【図１２】パイプホルダと栓体とを示す分解斜視図
【図１３】パイプホルダの他の例を示す断面図
【図１４】パイプホルダのさらに他の例を示す断面図
【図１５】パイプホルダのさらに他の例を示す断面図
【図１６】パイプホルダのさらに他の例を示す断面図
【図１７】パイプホルダのさらに他の例を示す断面図
【図１８】この発明に係るシート状物取付装置の他の実施の形態を示す斜視図
【図１９】図１８の縦断面図
【発明を実施するための形態】
【００２６】
以下、この発明の実施形態を図面に基づいて説明する。図１はメッシュシートが取り付けられた枠組足場１０を示す。パイプ構造物としての枠組足場１０は、上下方向に段組みされた複数の足場枠１１からなる。
【００２７】
図５および図６に示すように、足場枠１１は、並列に建て込まれた複数の建枠１２と、横方向で隣接する建枠１２を互いに連結する交差筋交い１６と、隣接する建枠１２の上部間に架設された足場板１８とからなる。
【００２８】
建枠１２は、一対の脚柱１２ａと、その脚柱１２ａの上部間に渡された横架材１２ｂとからなり、上記脚柱１２ａおよび横架材１２ｂのそれぞれは金属パイプを素材としている。
【００２９】
一対の脚柱１２ａのそれぞれには複数の連結プレート１３が長さ方向に間隔をおいて固定されている。図８および図９に示すように、連結プレート１３には係合孔１４が周方向に９０°の間隔をおいて形成され、横架材１２ｂの両端部に設けられたフック片１５が上記係合孔１４に係合されている。このため、横架材１２ｂは一対の脚柱１２ａに対して着脱自在とされているが、一対の脚柱１２ａに一体化されたものであってもよい。
【００３０】
図７に示すように、交差筋交い１６は一対のパイプからなる。それぞれの筋交い１６の両端部にはフック１６ａが設けられ、そのフック１６ａが横方向に隣接する建枠１２の脚柱１２ａのそれぞれに固定された上述の連結プレート１３の係合孔１４に係合され、傾斜状の取り付けとされた交差筋交い１６により隣接する建枠１２が互いに連結されている。
【００３１】
図６および図７に示すように、交差筋交い１６の上端部間には連結パイプ１７が渡され、その連結パイプ１７の両端部が交差筋交い１６の上端部に固定されている。
【００３２】
足場板１８は、横方向に隣接する建枠１２の横架材１２ｂ間に架け渡されている。その架け渡しに際し、足場板１８の両端部にフック１９を設け、そのフック１９を横架材１２ｂに係合させるようにしている。
【００３３】
足場枠１１は、先に組み込まれた下段側の足場枠１１上に上段側の足場枠１１が段組みされる。このとき、下段側足場枠１１における建枠１２の脚柱１２ａの上端部に上段側足場枠１１における建枠１２の脚柱１２ａの下端部が接続される組み込みとされて上下方向に複数組段組みされる。
【００３４】
図５に示すように、最上段の足場枠１０において、隣接する建枠１２の外側部に位置する脚柱１２ａの上端部間には連結パイプ２０が架設されている。また、最下段の足場枠１０において、隣接する建枠１２の外側部に位置する脚柱１２ａの下端部間に連結パイプ２１が架設され、その連結パイプ２１と上記上段側の連結パイプ２０、および各段の隣接する建枠１２の外側の脚柱１２ａで形成される四辺形枠部の外側構面に、図１に示すように、シート状物としてのメッシュシート３０が張設される。
【００３５】
メッシュシート３０は、難燃性の繊維または防炎加工を施した繊維を網状に編織したもの、もしくは、合成繊維を網状に編織したものに防炎加工を施したものであり、上記四辺形枠部の上下の連結パイプ２０、２１に至る長さとされ、かつ、両側縁間の幅寸法が隣接する建枠１２の脚柱１２ａの対向部間の間隔に等しくされて四辺形枠部内の全体を覆うことができる大きさとされている。
【００３６】
図１０に示すように、メッシュシート３０の上辺縁部および下辺縁部のそれぞれには全長にわたってガイド突条３１が設けられ、それぞれのガイド突条３１にパイプホルダ４０が着脱自在に取り付けられている。
【００３７】
また、メッシュシート３０の両側辺縁部には、複数のガイド突条３１が間隔をおいて設けられている。この両側のガイド突条３１の長さは、建枠１２の脚柱１２ａに等間隔に固定された連結プレート１３の間隔より少し短くされて、上下に隣接する連結プレート１３間に収容可能とされ、その複数のガイド突条３１のそれぞれにパイプホルダ４０が着脱自在に取り付けられている。
【００３８】
ここで、ガイド突条３１は、スライドファスナのファスナテープ３２の側縁部に取付けられたファスナエレメントとからなり、そのファスナエレメントが設けられたファスナテープ３２がメッシュシート３０における外周の各辺縁部に重ね合わされて固着一体化されている。
【００３９】
図３および図１２に示すように、パイプホルダ４０は、周方向の一部に切り離し部４２を有する筒状部４１の周方向両端部に長さ方向に延びる対向一対の突条４３を設け、その一対の突条４３のそれぞれにメッシュシート３０のガイド突条３１が挿通されるガイド溝４４を形成し、そのガイド溝４４の開口部にガイド突条３１を抜止めする状態でスライド案内する内向きフランジ４５を設けた径方向に弾性変形可能な合成樹脂の押出し成形品からなる。合成樹脂として、ここでは、塩化ビニル樹脂が採用されている。
【００４０】
図３および図１２では、筒状部４１の内周に複数のリブ４６を周方向に間隔をおいて設けているが、リブ４６を省略してもよい。
【００４１】
図１に示すように、メッシュシート３０の上側のガイド突条３１および下側のガイド突条３１に対しては、そのガイド突条３１の長さに等しい一本もののパイプホルダ４０が取り付けられる。その取り付けに際して、ガイド突条３１の一端部にパイプホルダ４０の一方の突条４３に形成されたガイド溝４４の一端開口を対向し、そのガイド溝４４の端部開口にガイド突条３１の一端部を挿通して、パイプホルダ４０とメッシュシート３０とをパイプホルダ４０の長さ方向に相対移動させる。
【００４２】
メッシュシート３０の両側の複数のガイド突条３１に対しては、それぞれのガイド突条３１の長さに等しい短管状のパイプホルダ４０が取り付けられる。その取り付けに際しては、図１０に示すように、ガイド突条３１の上端に短管状パイプホルダ４０の一方の突条４３に形成されたガイド溝４４の下端開口を対向し、その開口からガイド溝４４内にガイド突条３１の上端部を挿通して、パイプホルダ４０とメッシュシート３０とをパイプホルダ４０の長さ方向に相対移動させる。
【００４３】
このとき、ガイド溝４４の上端が開口していると、パイプホルダ４０が抜け落ちるため、図４および図１２に示すように、ガイド溝４４の上端開口を栓体４７の取り付けによって閉塞しておく。栓体４７として、ここではねじを採用し、そのねじをガイド溝４４の下端開口内にねじ込むようにしている。
【００４４】
メッシュシート３０の外周四辺縁部のそれぞれに取り付けられたパイプホルダ４０のうち、上側のガイドホルダ４０は四辺形枠部を形成する上部の連結パイプ２０に嵌合され、また、下側のガイドホルダ４０は下部の連結パイプ２１に嵌合される。さらに、メッシュシート３０の両側に取り付けられた複数のパイプホルダ４０は各段における建枠１２の外側の脚柱１２ａに嵌合される。その嵌合によって、パイプホルダ４０のそれぞれはパイプ外径面を締め付ける取り付けとされ、メッシュシート３０は四辺形枠部を覆う張設状態とされる。
【００４５】
上記のようなメッシュシート３０の張設に際しては、以下のような手順に沿って行う。
【００４６】
まず、メッシュシート３０の上辺縁部に設けられたガイド突条３１にパイプホルダ４０を取り付け、そのパイプホルダ４０を図５に示される上部の連結パイプ２０に嵌合する。嵌合に際しては、切り離し部４２を押し拡げて筒状部４１を拡径する方向に弾性変形させ、拡開された切り離し部４２から内部に連結パイプ２０が挿入されるようにして連結パイプ２０にパイプホルダ４０を嵌合する。
【００４７】
パイプホルダ４０を嵌合すると、そのパイプホルダ４０は復元弾性により縮径して連結パイプ２０の外径面を締め付けることになり、パイプホルダ４０は安定した強固な取り付けとされる。その取り付け後において、メッシュシート３０を連結パイプ２０から垂下させる。
【００４８】
メッシュシート３０の垂下後、両側辺縁部に間隔をおいて設けられた複数のガイド突条３１のそれぞれに短管状のパイプホルダ４０を取り付ける。このとき、パイプホルダ４０は上下方向に並ぶ複数のガイド突条３１の上部のガイド突条３１から順に取り付ける。
【００４９】
ここで、パイプホルダ４０の取り付けに際しては、ガイド溝４４の栓体４７によって閉塞された端部が上側となるようパイプホルダ４０を立て掛け、一方のガイド溝４４の下端開口から内部にガイド突条３１の上端部を挿入して、パイプホルダ４０をガイド突条３１に沿って下方向にスライドさせる。そのスライドによりガイド溝４４内にガイド突条３１が順次挿入する。ガイド突条３１の上端にガイド溝４４の閉塞端が当接すると、パイプホルダ４０が停止し、パイプホルダ４０の取り付けとされる。
【００５０】
上記のようなパイプホルダ４０の取り付け作業後、そのパイプホルダ４０を建枠１２の外側脚柱１２ａに嵌合する。その嵌合により、外側脚柱１２ａにパイプホルダ４０が取り付けられ、メッシュシート３０の両側辺縁部が外側脚柱１２ａに取り付けられる。
【００５１】
メッシュシート３０の両側辺縁部の取り付け後、メッシュシート３０の下辺縁部に設けられたガイド突条３１に一本もものパイプホルダ４０を取り付け、そのパイプホルダ４０を最下段の隣接する脚柱１２ａの下端部間に架設された連結パイプ２１に嵌合することにより、メッシュシート３０の取り付けが完了する。
【００５２】
上記のようなメッシュシート３０の取り付けにより、そのメッシュシート３０の上下辺縁部が全長にわたって上下方向に引っ張られ、また、両側辺縁部はほぼ全長にわたって外側方向に引っ張られ、メッシュシート３０は上下方向および左右方向の２方向に緊張され、皺の発生のない綺麗な強固な取り付けとされる。
【００５３】
上記の説明においては、１枚のメッシュシート３０の取り付けについて述べたが、実際には、最上段の隣接する脚柱１２ａの上部間に架設された複数の連結パイプ２０のそれぞれからメッシュシート３０を垂下させる。そして、隣接するメッシュシート３０の対向する側縁部の取り付けに際し、側縁部のそれぞれに設けられたガイド突条３１のそれぞれをパイプホルダ４０に設けられた一対のガイド溝４４のそれぞれに挿通して、パイプホルダ４０を共通とし、その共通のパイプホルダ４０を脚柱１２ａに嵌合して、隣接するメッシュシート３０の対向する側縁部を脚柱１２ａに同時に取り付ける。
【００５４】
図２および図３に示すように、パイプホルダ４０の両端部を結束バンド５０の締め付けにより固定することにより、パイプホルダ４０の取り付けを強固なものとすることができる。
【００５５】
図２および図３では、パイプホルダ４０の両端部のそれぞれを結束バンド５０で締結する例を示したが、図２の鎖線で示すように、パイプホルダ４０の両端部間における複数の箇所を結束バンド５０で締結して取り付けをより強固なものとしてもよい。この場合、図４の鎖線で示すように、ファスナテープ３２に結束バンド５０が挿通されるバンド挿通孔４８を設けるようにしてもよく、あるいは、ファスナテープ３２を複数に分割し、その分割部間を結束バンド５０で結束するようにしてもよい。
【００５６】
図１２に示すパイプホルダ４０においては、筒状部４１の周方向の両端部にガイド溝４４を有する一対の突条４３を設けたが、図１３に示すように、筒状部４１の切り離し部４２と対向する位置の外周面に一対の突条４３を設けるようにしてもよい。
【００５７】
図１３に示すパイプホルダ４０をメッシュシート３０の側縁部の取り付けに採用することにより、メッシュシート３０からの引張り力の付与によって切り離し部４２が開き、脚柱１２ａからパイプホルダ４０が抜け落ちるという不都合の発生はなく、安定した取付け状態を得ることができる。
【００５８】
図１４乃至図１７は、パイプホルダ４０の他の例を示す。図１４に示すパイプホルダ４０においては、弾性変形可能な筒状部４１の周方向長さを、パイプに対する装着状態でその切り離し端部４１ａ、４１ｂが内外でオーバラップする長さとし、その切り離し端部４１ａ、４１ｂと対向する位置の外周面に一対の突条４３を設け、それぞれの突条４３にガイド溝４４と内向きフランジ４５とを設けている。
【００５９】
また、切り離し端部４１ａ、４１ｂの互いに衝合する面のそれぞれに鋸歯状の係合歯５１を設け、その係合歯５１の係合によってパイプに対する取付け状態を保持し、外径の異なるパイプに対しても安定した強固な取付け状態が得られるようにしている。
【００６０】
図１５に示すパイプホルダ４０においては、筒状部４１における切り離し端部４１ａ、４１ｂの一方に他方の切り離し端部４１が挿入される挿入溝５２を設け、その挿入溝５２の内壁外周面と他方の切り離し端部４１の内周面に互いに係合可能な断面三角形の係合歯５３を設けている点で図１４に示すパイプホルダ４０と相違している。このため、図１４に示すパイプホルダ４０と同一部分には同一の符号を付して説明を省略する。
【００６１】
図１５に示すパイプホルダ４０においても外径の異なるパイプに対しても安定した強固な取付け状態が得ることができる。
【００６２】
図１６に示すパイプホルダ４０においては、筒状部４１の切り離し端部４１ａ、４１ｂにおける一方の切り離し端部４１ａに径方向外方に向く弾性変形可能な帯状板５４を介して弧状片部５５を設け、その弧状片部５５の側縁部に内方に向くフック片部５６を設け、他方の切り離し端部４１ｂにおける側縁部に上記フック片部５６が係合可能な係合溝５７を形成して、上記係合溝５７に対するフック片部５６の係合によりパイプに対する取付けとし、上記帯状板５４の弾性変形によって外径の異なるパイプに対しても取り付け可能としている。
【００６３】
また、筒状部４１には、上記弧状片部５５と対向する位置における外径面に一対の柔軟な帯状片８０の一側縁を連設し、その帯状片８０の他側縁それぞれに接合、離脱可能なバー部材８１を設け、そのバー部材８１の接続部間およびバー部材８１の外側面それぞれにメッシュシート３０のガイド突条３１が挿入されるガイド溝４４と、そのガイド溝４４の開口部にガイド突条３１を抜止めする内向きフランジ４５とを設けている。
【００６４】
ここで、一対のバー部材８１を接合、離脱可能とするため、ここでは、一対のバー部材８１の対向内側面における一方に係合突条８２を設け、他方にその係合突条８２が係合される係合溝８３を設けている。
【００６５】
図１６に示すパイプホルダ４０においては、係合溝８３に対する係合突条８２の係合によって一対のバー部材８１を接合することにより、その接合部間にガイド溝４４が形成されるため、一対のバー部材８１のそれぞれに設けられたガイド溝４４および接合部間に形成されたガイド溝４４のそれぞれにメッシュシート３０のガイド突条３１を挿入することができ、メッシュシート３０を３方向に張設することができる。
【００６６】
また、一対のバー部材８１の接合を解除すると、一対のバー部材８１のそれぞれを筒状部４１の外周接線方向に位置を変更することができるため、幅寸法の小さなメッシュシート３０の張設を可能とすることができる。
【００６７】
図１７に示すパイプホルダ４０においては、弾性変形可能な筒状部４１の切り離し部４２から周方向に１８０°位置ずれした部位の外周に第１突条９１を設け、かつ、その第１突条９１から周方向に９０°位置ずれした部位の外周に第２突条９２を設け、上記第１突条９１の外周および周方向の両側ならびに上記第２突条９２の周方向一側のそれぞれにメッシュシート３０のガイド突条３１が挿入されるガイド溝９３を形成し、それぞれのガイド溝９３の開口部にガイド突条３１を抜止めする対向一対の内向きフランジ９４を設けている。
【００６８】
また、上記第２突条９２から切り離し部４２側の付け根部位およびその部位から切り離し部４２側にほぼ１８０°位置がずれた部位に軟質樹脂からなるヒンジ部９５を設けて筒状部４１の切り離し端部４１ａ、４１ｂをそのヒンジ部９５から開閉自在とし、一方の切り離し端部４１ａの外周に他方の切り離し端部４１ｂが挿入される挿入孔９６を設け、その挿入孔９６の外壁部９７の端部に屈曲可能な薄肉部９８を介して係合片９９を設け、その係合片９９の内側部と他方の切り離し端部４１ｂの外周とにフック掛け外し可能なフック１００ａ、１００ｂを設けている。
【００６９】
さらに、挿入孔９６の内壁および外壁のそれぞれに断面三角形の係合歯１０１を設け、一方、上記挿入孔９６に挿入される他方の切り離し端部４１ｂの内周および外周に上記係合歯１０１に係合可能な係合歯１０２を設けている。
【００７０】
上記パイプホルダ４０においては、他方の切り離し端部４１ｂを挿入孔９６に浅く挿入することにより大径パイプに対しての取り付けとすることができると共に、係合歯１０１，１０２の係合により他方の切り離し端部４１ｂを抜止めすることができる。
【００７１】
また、他方の切り離し端部４１ｂを挿入孔９６に深く挿入することにより小径パイプに対しての取り付けとすることができると共に、係合歯１０１，１０２の係合により他方の切り離し端部４１ｂを抜止めすることができる。そして、フック１００ａ、１００ｂを互いに係合することによって取付け状態を確実に維持することができる。
【００７２】
また、第１突条９１に３本のガイド溝９３が形成され、第２突条９２に１本のガイド溝９３が形成されているため、メッシュシート３０を４方向に張設することができる。
【００７３】
図１ではパイプ構造物としての枠組足場１０を示し、その枠組足場１０にメッシュシート３０を取り付けるようにしたが、パイプ構造物１０は枠組足場１０に限定されるものではない。
【００７４】
図１８および図１９は、パイプ構造物としてバリケード６０を示し、そのバリケード６０に文字、図柄Ａが印刷されたシート状物としての広告シート７０を取り付けた例を示す。
【００７５】
バリケード６０は、パイプからなる門型枠６１の両側支柱６１ａの下端に接地板６２を設け、かつ、両側支柱６１ａの下端部間にパイプからなる横桟６３を渡し、その横桟６３と門型枠６１の一対の支柱６１ａおよび一対の支柱６１ａの上部間に渡る上部桟６１ｂとで形成される角形枠が四辺形枠部として、その四辺形枠部に広告シート７０を張設している。
【００７６】
広告シート７０は、合成樹脂シートや厚手の布により形成されて柔軟性を有している。この広告シート７０の張設に際し、広告シート７０の上下の対向辺縁部の全長にわたってガイド突条３１を設け、そのガイド突条３１のそれぞれをパイプホルダ４０に形成されたガイド溝４４に挿通して、ガイド突条３１にパイプホルダ４０を取り付け、そのパイプホルダ４０を上部桟６１ｂおよび横桟６３に嵌合している。
【００７７】
上記のような広告シート７０の取り付けにおいても、上下の辺縁部が全長にわたって上下方向に均一に引っ張られるため、皺の発生のない綺麗な強固な張設状態を得ることができ、しかも、広告シート７０を簡単に張設することができる。
【符号の説明】
【００７８】
１０  枠組足場（パイプ構造物）
１１  足場枠
１２  建枠
１２ａ  脚柱
１２ｂ  横架材
１６  交差筋交い
１８  足場板
２０  連結パイプ
２１  連結パイプ
３０  メッシュシート（シート状物）
３１  ガイド突条
４０  パイプホルダ
４１  筒状部
４２  切り離し部
４３  突条
４４  ガイド溝
４５  内向きフランジ
６０  バリケード（パイプ構造物）
６１ａ  支柱
６１ｂ  上部桟
６２  接地板
６３  横桟
７０  広告シート（シート状物）
【図１】
2015197026.tif 000003
【図２】
2015197026.tif 000004
【図３】
2015197026.tif 000005
【図４】
2015197026.tif 000006
【図５】
2015197026.tif 000007
【図６】
2015197026.tif 000008
【図７】
2015197026.tif 000009
【図８】
2015197026.tif 000010
【図９】
2015197026.tif 000011
【図１０】
2015197026.tif 000012
【図１１】
2015197026.tif 000013
【図１２】
2015197026.tif 000014
【図１３】
2015197026.tif 000015
【図１４】
2015197026.tif 000016
【図１５】
2015197026.tif 000017
【図１６】
2015197026.tif 000018
【図１７】
2015197026.tif 000019
【図１８】
2015197026.tif 000020
【図１９】
2015197026.tif 000021